【手続補正書】
【提出日】平成17年4月6日(2005.4.6)
【手続補正１】
【補正対象書類名】明細書
【補正対象項目名】全文
【補正方法】変更
【補正の内容】
【書類名】  明細書
【発明の名称】  据え置き型電気掃除機
【特許請求の範囲】
【請求項１】  建物に敷設された配管に連通すると共に集塵フィルターを備えた集塵室と、電動送風機とを内蔵した本体を有し、前記本体を前記集塵フィルターを取り出す側が略斜め上方を向くように傾斜させて設置出来るようにした据え置き型電気掃除機。
【請求項２】  本体を傾斜させて設置するための載置補助脚を設け、この載置補助脚を集塵フィルターを取り出す側にのみ設けた請求項１記載の据え置き型電気掃除機。
【請求項３】  載置補助脚に高さを調整するための調節手段を設け、それらと相対する側にも載置補助脚を設け、こちらの載置補助脚は置き台に回動自在に載置姿勢をとるように形成した請求項２記載の据え置き型電気掃除機。
【発明の詳細な説明】
【０００１】
【発明の属する技術分野】
本発明は、一般家庭あるいは小規模店舗などに設置される据え置き型電気掃除機に関するものである。
【０００２】
【従来の技術】
従来、一般家庭あるいは小規模店舗などで設置される据え置き型電気掃除機として、家屋の床下に設置されるタイプと、屋外に設置されるタイプがある。
【０００３】
家屋の床下に設置するタイプは、本体上部に集塵フィルターを備えた集塵室を設け、集塵フィルターの取り出しを容易にするために、集塵室の上部すなわち本体の一番上部に、着脱自在または開閉自在の蓋を設けていた。
【０００４】
一方、屋外に本体を設置するタイプは、降雨中に、蓋を開けて集塵フィルターを取り出す際に、集塵室から雨水が浸入し、本体内蔵の部材や電装品を濡らし故障させるのを防ぐため、集塵フィルター取り出し用の蓋は、本体の上部に形成できず、本体の前部に設けていた。
【０００５】
一方家屋の床下に設置するタイプでは、そのような心配はなく、集塵フィルターの取り出し交換の作業性を確保するために前述のように、蓋を本体の上部に構成している。
【０００６】
また、屋外に本体を設置するタイプは、本体をブロックなどの置き台に載置するために、本体の底部にねじ形状の支軸などを有し、この支軸の本体へのねじ込み具合で高さの微調整のできる複数の脚を設けて、ブロック台の高さに多少の凸凹があっても、本体を水平に設置できるように形成しているのが一般であった。
【０００７】
【発明が解決しようとする課題】
ところが、上記の従来の構成では、床下設置タイプのものは、使用者が床下の集塵フィルターの保守を容易にするために本体上部に集塵室の蓋を設けたことから、屋外に本体を設置する事ができず、本体を共用化して提供できないという問題があった。つまり、本体上部の蓋の部分で確実な密閉をしなければ防雨を完全に実施できないのである。使用者が蓋を閉めないのは言うに及ばず、不完全な閉め方や密閉度でも雨水が本体に浸入して、基幹部分の集塵室や集塵フィルターを濡らし腐敗の元になったり、電動送風機を錆びさせたり、ひいては電装部分を濡らし機器としては致命的な症状を引き起こすなどの防雨に対する弱点が顕著だったからである。
【０００８】
従って、防雨構成をとりやすくするために通常本体前部に集塵室の蓋（扉なども含む、以下同）を設けた屋外型の据え置き型電気掃除機とは区別して製品を製作していく必要があった。
【０００９】
しかるに、これは製品開発の機種数の増加につながり、開発投資や生産における設備、工程の重複となっていた。
【００１０】
また、例えば、販売や設置現場においても機器の設置形態に合わせてそれぞれの機種を在庫したり、工事の複雑化にもつながっていた。
【００１１】
したがって、機種の統合すなわち屋外に本体を設置する据え置き型電気掃除機を床下に設置する機種にも共用するために、蓋の防雨と集塵フィルターの取り出しやすさの両立が重要な課題であった。
【００１２】
以上本発明は、屋外・床下のいずれにも本体を設置できる据え置き型電気掃除機を提供することを目的としている。
【００１３】
【課題を解決するための手段】
上記目的を達成するために本発明は、建物に敷設された配管に連通すると共に集塵フィルターを備えた集塵室と、電動送風機とを内蔵した本体を有し、前記本体を前記集塵フィルターを取り出す側が略斜め上方を向くように傾斜させて設置出来るようにしたもので、雨侵入を確実に防止できるように本体前部に集塵室の蓋を設けた屋外型の据え置き型電気掃除機を、床下にも設置できると共に、集塵室の蓋が斜め上を向いているので、集塵フィルターの交換も容易である。
【００１４】
【発明の実施の形態】
本発明の請求項１記載の発明は、建物に敷設された配管に連通すると共に集塵フィルターを備えた集塵室と、電動送風機とを内蔵した本体を有し、前記本体を前記集塵フィルターを取り出す側が略斜め上方を向くように傾斜させて設置出来るようにしたもので、雨侵入を確実に防止できるように本体前部に集塵室の蓋を設けた屋外型の据え置き型電気掃除機を、床下にも設置できると共に、集塵室の蓋が斜め上を向いているので、集塵フィルターの交換も容易である。
【００１５】
請求項２記載の発明では、本体を傾斜させて設置するための載置補助脚を集塵フィルターを取り出す側にのみ設けたもので、本体が軽量に形成できたことなどの設置条件さえあえば、本体を傾斜させたまま支持するための載置補助脚を最低限の個数備えたものとして製品の製造原価を低減し、また設置工事も簡便にすることができる。
【００１６】
そして請求項３記載の発明では、載置補助脚に高さを調整するための調節手段を設け、それらと相対する側にも載置補助脚を設け、こちらの載置補助脚は置き台に回動自在に載置姿勢をとるように形成したので、使用者の集塵フィルターの取り出し勝手の嗜好や設置場所の条件に合わせて、現場で本体を適当に傾斜させて設置することができる。
【００１７】
【実施例】
（実施例１）
以下、本発明の第１の実施例について図１〜図３を用いて説明する。
【００１８】
図１〜図３において、１は据え置き型電気掃除機の本体であり、集塵フィルター２を備えた集塵室３を備えている。本体１は屋外型としても使用できるように、雨の侵入を確実に防止するために、集塵フィルター２取り出しのための開閉自在な蓋４を、本体１の前面に設けている。
【００１９】
さらに電動送風機５を本体１に内蔵している。本体１の底部には脚６ａ・６ｂをそれぞれ本体１の前・後にねじ嵌合にて着脱自在に設けている。
【００２０】
さらに、本体１を斜め上方に傾斜させるために、この脚６ａ・６ｂに嵌合し、集塵フィルター２を取り出す側の脚６ａをそれらと相対する側の脚６ｂより適当に高くして、本体１を傾斜させてブロックなどの置き台７に載置するそれぞれ載置補助脚８ａ・８ｂを形成している。載置補助脚８ａ・８ｂは脚６ａ・６ｂに対しそれぞれ着脱自在になっている。
【００２１】
１０は家屋の床、１１は床１０に設けた保守用開閉口であり着脱自在の保守蓋（図示せず）を有する。１２は屋外に設置する時の置き台である。１３は、掃除用ノズル（図示せず）を接続するホース（図示せず）のホース差込み口（図示せず）をつないで建物に敷設した配管である。
【００２２】
上記構成による動作、作用は以下の通りである。
【００２３】
屋外に本体１を設置する時は、図２のように載置補助脚８ａ・８ｂを取り外し、脚６ａ・６ｂのみをそれぞれ本体１に取り付けた状態で、置き台１２に載置することで、蓋４が本体１の水平前面に位置すると共に、本体１を垂直状態に設置することができる。この状態での動作は、従来と同一なので省略する。
【００２４】
次に、床下に本体１を設置する時は、図１のように脚６ａ・６ｂにそれぞれ載置補助脚８ａ・８ｂを取り付けることにより、本体１を斜め上方に傾斜してブロックなどの置き台７に載置し、蓋４を本体１の前面上方に位置させて設置することができる。この状態での動作は、図３のように床１０の上の使用者から保守用開閉口１１を通じて、蓋４を開けやすく本体１を適当に斜め上方に傾斜させるように載置補助脚８ａ・８ｂの高さを形成するだけで、床１０の上の使用者から集塵フィルター２を保守時に斜め上方に取り出しやすくでき、よって屋外用の本体１を床下設置用にも容易に共用できるのである。ここでは、載置補助脚８ａ・８ｂの両方で本体１を置き台７に載置しているため、本体１の質量が重くともしっかり本体１を傾斜したまま固定した設置ができるのは言うまでもない。
【００２５】
（実施例２）
次に、第２の実施例を図４を用いて説明する。なお、上記実施例と同一の構成部品については同一の符号を付して、説明は省略する。
【００２６】
図４の様に、載置補助脚８ａを集塵フィルター２を取り出す側の脚６ａのみに連結したものである。
【００２７】
よって、本体１の質量が軽量であれば、充分に本体１を傾斜した状態で設置ができ、部品が省略できることで製造原価上だけでなく、設置工事のときにも簡便で有利である。
【００２８】
（実施例３）
次に、第３の実施例を図５を用いて説明する。なお、上記実施例と同一の構成部品については同一の符号を付して、説明は省略する。
【００２９】
図５の様に、集塵フィルター２を取り出す側の脚６ａの載置補助脚８ａには高さを適宜適当にして固定するための調節手段１４を設けている。ここで調節手段１４は補助脚上１４ａ・補助脚下１４ｂ・係止ねじ１４ｃからなる。それらと相対する側の脚６ｂの載置補助脚８ｂは置き台７に回動自在に載置姿勢をとるように補助脚上１５ａ・補助脚下１５ｂ・蝶番１５ｃから形成されている。
【００３０】
これらの構成により、図５のように係止ねじ１４ｃを用いることにより補助脚上１４ａ・補助脚下１４ｂの相対する長さを調節することができ載置補助脚８ａの全長すなわち本体１の斜め上方に傾斜角度を適当に調整することができる。しかも載置補助脚８ｂは蝶番１５ｃの効用により回動自在なため前記角度は自在に変更して本体１をブロックなどの置き台７に載置して設置できる。
【００３１】
【発明の効果】
以上の実施例からも明らかなように、本発明の請求項１記載の発明によれば、斜め上方に本体から集塵フィルターを取り出せるように本体設置を可能にさせることから蓋の防雨と集塵フィルターの取り出しやすさの両立ができて機種の統合ができるため、製造上の課題と現場での対応課題を解決した据え置き型電気掃除機を提供することができる。
【００３２】
また本発明の請求項２記載の発明によれば、製造原価を低減した据え置き型電気掃除機を提供することができる。
【００３３】
さらに本発明の請求項３記載の発明によれば、使用者の集塵フィルターの取り出し勝手の嗜好や設置場所の条件に合わせて、現場施工が簡便な据え置き型電気掃除機を提供することができる。
【図面の簡単な説明】
【図１】
本発明の第１の実施例における据え置き型電気掃除機の床下設置での側面から見た断面図
【図２】
同据え置き型電気掃除機を屋外設置しているところを側面から見た図
【図３】
同第１の実施例における据え置き型電気掃除機の床下設置での集塵フィルターの保守状態を側面から見た部分断面図
【図４】
同第２の実施例の要部部分断面図
【図５】
同第３の実施例の要部部分断面図
【符号の説明】
１  本体
２  集塵フィルター
３  集塵室
５  電動送風機
７  置き台
８ａ・８ｂ  載置補助脚
１３  配管
１４  調節手段
１４ａ  補助脚上
１４ｂ  補助脚下
１４ｃ  係止ねじ